(57)【要約】【課題】映像表示部に表示中の画面に対する映像鑑賞者の注目度を正確に把握でき，また，その注目度に基づいて適正な制御を行うことができるテレビジョン受像機を提供すること。【解決手段】制御回路８が，映像表示部２１の前方を撮像するカメラ１２により得られた画像情報に基づいて，映像鑑賞者の顔及びその向きを検出し，その検出結果に基づいて，映像表示部２１に表示されている１又は複数の画面それぞれに対する映像鑑賞者の注目度を検知する。さらに，制御回路８は，前記注目度に基づいて，マルチ画面状態における複数の画面のいずれに対応する音声を出力させるかを切り替え，最近の前記注目度が所定レベルに満たない場合に省電力状態に移行させ，前記注目度に関する注目度実績情報を番組情報に対応付けて記録し，その記録情報に基づき番組情報の表示態様を制御する。【選択図】図１
2008263524.tif 000002
【特許請求の範囲】
【請求項１】
映像表示部に画面を表示させるテレビジョン受像機であって，
前記映像表示部の前方を撮像する撮像手段と，
前記撮像手段により得られた画像情報に基づいて映像鑑賞者の顔及びその向きを検出する顔検出手段と，
前記顔検出手段の検出結果に基づいて前記映像表示部に表示された画面に対する前記映像鑑賞者の注目度を検知する注目度検知手段と，
を具備してなることを特徴とするテレビジョン受像機。
【請求項２】
前記注目度検知手段が，前記映像表示部に複数の画面が並んで表示されている場合に該複数の画面それぞれに対する前記映像鑑賞者の注目度を個別に検知してなる請求項１に記載のテレビジョン受像機。
【請求項３】
前記映像表示部に複数の画面が並んで表示されている場合に，前記注目度検知手段の検知結果に基づいて前記複数の画面のいずれに対応する音声を所定の音声出力手段を通じて出力させるかを切り替える音声出力切替手段と，
を具備してなる請求項２に記載のテレビジョン受像機。
【請求項４】
前記映像表示部に表示中の画面について前記注目度検知手段により検知された前記映像鑑賞者の注目度が所定レベルに満たない場合に，当該テレビジョン受像機を所定の省電力状態に移行させる省電力状態移行制御手段を具備してなる請求項１〜３のいずれかに記載のテレビジョン受像機。
【請求項５】
前記省電力状態が，該省電力状態への移行前に前記映像表示部に表示していた画面に対応する音声を所定の音声出力手段を通じて出力しつつ，前記映像表示部による画面表示を停止した画面非表示・音声出力状態であり，
前記画面非表示・音声出力状態において，前記顔検出手段の検知結果に基づいて前記映像鑑賞者の顔が前記映像表示部を向いていることを検知した場合に，当該テレビジョン受像機を前記画面非表示・音声出力状態から該画面非表示・音声出力状態への移行前の状態に復帰させる状態復帰手段制御手段を具備してなる請求項４に記載のテレビジョン受像機。
【請求項６】
放送番組の番組情報を記憶する番組情報記憶手段と，
前記映像表示部に放送番組の画面が表示されているときに前記注目度検知手段により検知された前記映像鑑賞者の注目度に関する注目度実績情報を，前記映像表示部に表示された放送番組の画面に対応する前記番組情報に対応付けて所定の記憶手段に記録する注目度実績記録手段と，
を具備してなる請求項１〜５のいずれかに記載のテレビジョン受像機。
【請求項７】
前記番組情報記憶手段に記憶された前記番組情報を前記映像表示部に表示させるとともに，該番組情報の表示態様を前記注目度実績情報に基づいて制御する番組情報表示制御手段を具備してなる請求項６に記載のテレビジョン受像機。
【請求項８】
前記番組情報表示制御手段が，前記番組情報を前記映像表示部に表示させる際に，前記注目度実績情報に基づいて前記番組情報を強調表示させるか否かを制御してなる請求項７に記載のテレビジョン受像機。
【請求項９】
前記番組情報表示制御手段が，前記番組情報を前記映像表示部に表示させる際に，前記注目度実績情報に基づいて前記番組情報の表示順序を制御してなる請求項７に記載のテレビジョン受像機。
【発明の詳細な説明】
【技術分野】
【０００１】
本発明は，テレビジョン受像機に関し，特に，映像鑑賞者による表示画面への注目状況を検知することができるテレビジョン受像機に関するものである。
【背景技術】
【０００２】
昨今，テレビジョン受像機は，省電力化やユーザの嗜好に応じた自動制御の実施など多様なニーズへの対応が要求されている。
例えば，テレビジョン受像機が，映像表示部（モニタ）に放送番組の画面を表示中に，ユーザ（映像鑑賞者）がその表示画面を鑑賞せずに放置している状態（以下，放置状態という）であると考えられる場合に，所定の省電力状態（一般に，待機状態やスリープ状態などと称される）へ移行する機能（以下，自動スリープ機能という）を備えれば，省電力化に有効である。この場合，例えば，何らの操作もなされない状態が一定時間以上継続した状態を前記放置状態とみなして検知することが考えられる。
また，テレビジョン受像機が，ユーザの好みのジャンルや出演者などの嗜好情報が設定された場合に，予め取得した放送番組のＥＰＧ情報に基づいて，前記嗜好情報に関連する放送番組を自動検索し，その放送番組を自動選局予約や自動録画予約などの予約処理の対象とする機能を備えれば，ユーザの嗜好に応じた自動制御が行われ，利便性が高く好適である。この場合，前記嗜好情報は，ユーザにより手動設定されることも考えられるが，テレビジョン受像機が，ユーザによる放送番組の視聴実績（鑑賞実績）の情報を記録し，その記録情報に基づいて自動設定する機能を備えればなお好適である。例えば，特許文献１に示されるように，ある放送番組の放送チャンネルが選局されていれば，ユーザ（映像鑑賞者）が，その選局中の放送チャンネルの番組を視聴しているとみなすとの前提の下に，放送番組の視聴実績の情報を記録することが考えられる。
【０００３】
また，放送業界において，放送番組の視聴率は非常に重要な指標であるため，テレビジョン受像機のユーザが実際に視聴（鑑賞）している放送番組をより正確に把握（自動検知）することが望ましい。一般に，視聴率を求める際，テレビジョン受像機においていずれの放送番組のチャンネルが選局されているか（選局状態）が自動検知され，その検知結果に基づいて視聴率が算出される。即ち，ある放送番組の放送チャンネルが選局されていれば，ユーザ（映像鑑賞者）が，その選局中の放送チャンネルの番組を視聴しているとみなすとの前提の下に，視聴率が算出されている。
一方，特許文献２や特許文献３には，カメラによる撮像画像に基づいて，顔面及びその向きを簡単かつ精度良く検出する技術が示されている。
また，特許文献４には，カメラによる撮像画像に基づいて自動車のドライバーの顔の特徴点及び顔の向きを検知し，その検知結果に基づいて自動車のミラーの角度を調節する装置が示されている。
【特許文献１】特開２０００−１１５０９８号公報
【特許文献２】特開２００１−１０１４２９号公報
【特許文献３】特開２００６−２５９９００号公報
【特許文献４】特開２００２−２７４２６５号公報
【発明の開示】
【発明が解決しようとする課題】
【０００４】
しかしながら，テレビジョン受像機における従来の技術はいずれも，映像表示部に表示中の画面に対するユーザ（映像鑑賞者）の注目度合いを直接的に検知するものではないため，以下のような問題点があった。
例えば，テレビジョン受像機が，一定時間以上操作されない状態が継続したことをもって，映像表示部に表示中の画面にユーザが注目していない状態であると判別すると，実際にはユーザが映像を鑑賞中であるのに，誤って省電力状態へ移行してしまうことがあるという問題点があった。
また，テレビジョン受像機が，選局されている放送チャンネルの放送番組が常に視聴されているものとして視聴実績を記録した場合，ある放送番組のチャンネルが選局された後，ユーザが席を外してその放送番組を実際に視聴（注目）しなかった場合には，誤った視聴実績を記録してしまうという問題点があった。
また，昨今の大型の映像表示部を備えたテレビジョン受像機では，ユーザが，複数の番組の映像をマルチ画面表示により同時に表示させて鑑賞する場合も多く，そのような場合に，番組の視聴率やユーザの嗜好を正確に把握するためには，マルチ画面表示中の複数の放送番組それぞれに対するユーザ（鑑賞者）の注目状況を把握する必要がある。しかしながら，従来の技術では，複数のチューナを備えたテレビジョン受像機が，複数の放送番組の画面を同時に並べて出力（マルチ画面出力）している場合，ユーザが複数の画面それぞれをどの程度ずつ注目（視聴）したかを個別に把握（検知）することができないという問題点があった。
従って，本発明は上記事情に鑑みてなされたものであり，その目的とするところは，映像表示部に表示中の画面に対するユーザ（映像鑑賞者）の注目度（注目状況）を正確に把握でき，また，その注目度に基づいて適正な制御を行うことができるテレビジョン受像機を提供することにある。
【課題を解決するための手段】
【０００５】
上記目的を達成するために本発明に係るテレビジョン受像機（映像表示部に画面を表示させる装置）は，次の（１）〜（３）に示す各構成要素を備えるものである。
（１）前記映像表示部の前方を撮像する撮像手段。
（２）前記撮像手段により得られた画像情報に基づいて映像鑑賞者の顔及びその向きを検出する顔検出手段。
（３）前記顔検出手段の検出結果に基づいて前記映像表示部に表示された画面に対する前記映像鑑賞者の注目度を検知する注目度検知手段。
本発明に係るテレビジョン受像機は，前記撮像手段（カメラ）の撮像画像に基づき検出される映像鑑賞者の顔及びその向きに基づいて，映像鑑賞者が，映像表示部に表示中の画面にどの程度注目しているのかを直接的に検知する機能を備えるものである。即ち，映像鑑賞者の顔が前記映像表示部の範囲内を向いていれば，映像鑑賞者が表示中の画面に注目している状況であり，その顔が前記映像表示部の範囲から外れた方向を向いている，或いは顔の像が存在しない場合には，映像鑑賞者が表示中の画面に注目していない状況であるといえる。前記注目度検知手段を備えたテレビジョン受像機は，映像表示部に表示中の画面に対する映像鑑賞者（ユーザ）の注目状況（注目度）を正確に把握することができる。
なお，前記特許文献２〜４に示されるように，人の顔の像を含む画像情報に基づいて顔及びその向きを検知する技術は広く知られている。
【０００６】
また，本発明に係るテレビジョン受像機がいわゆるマルチ画面表示機能を備えている場合，前記注目度検知手段が，前記映像表示部に複数の画面が並んで表示されている場合にその複数の画面それぞれに対する前記映像鑑賞者の注目度を個別に検知することが考えられる。例えば，前記注目度検知手段は，前記映像表示部の表示領域を左右に分けた２画面表示が行われている場合に，前記映像鑑賞者の顔が左右の画面のいずれの方向を向いているかにより，左右の各画面について前記映像鑑賞者の注目度を個別に検知する。
これにより，テレビジョン受像機が，複数の画面を同時に並べて出力（マルチ画面出力）している場合でも，ユーザが複数の画面それぞれをどの程度ずつ注目したかを正確に把握することができる。
例えば，本発明に係るテレビジョン受像機が，さらに，次の（１−１）に示す構成要素を備えれば好適である。
（１−１）前記映像表示部に複数の画面が並んで表示されている場合に，前記注目度検知手段の検知結果に基づいて前記複数の画面のいずれに対応する音声を所定の音声出力手段を通じて出力させるかを切り替える音声出力切替手段。
これにより，ユーザがリモコン等による音声切替操作を行わなくても，そのユーザ（映像鑑賞者）の注目度が最も高い画面に対応する音声が出力されるように自動的に音声切り替えが行われる。
【０００７】
また，本発明に係るテレビジョン受像機が，前記映像表示部に表示中の画面について前記注目度検知手段により検知された前記映像鑑賞者の注目度が所定レベルに満たない場合に，当該テレビジョン受像機を所定の省電力状態に移行させる省電力状態移行制御手段をさらに具備すれば好適である。
これにより，ユーザが画面に注目していないときの無駄な電力消費を抑制できる。しかも，ユーザが映像を鑑賞中であるのに，誤って省電力状態へ移行してしまうという誤動作を回避できる。
例えば，前記省電力状態が，その省電力状態への移行前に前記映像表示部に表示していた画面に対応する音声を所定の音声出力手段を通じて出力しつつ，前記映像表示部による画面表示を停止した状態（以下，画面非表示・音声出力状態という）であることが考えられる。この場合，本発明に係るテレビジョン受像機が，前記画面非表示・音声出力状態において，前記顔検出手段の検知結果に基づいて前記映像鑑賞者の顔が前記映像表示部を向いていることを検知した場合に，当該テレビジョン受像機を前記画面非表示・音声出力状態から該画面非表示・音声出力状態への移行前の状態に復帰させる状態復帰手段制御手段をさらに具備すれば好適である。
これにより，ユーザが当該テレビジョン受像機の近くにおいて一時的に席を外す，或いは画面から一時的に視線を外す（例えば，作業のために下を向く）ような場合に，ユーザが出力音声を聴き続けることができる状態のまま，画面表示のみが一時的に停止されて省電力化が図られる。例えば，テレビジョン受像機が液晶テレビジョン受像機である場合，前記画面非表示・音声出力状態を映像表示部の一部を構成するバックライトを消灯させた状態とすれば，高い省電力効果が得られる。
【０００８】
また，本発明に係るテレビジョン受像機が，次の（２−１）及び（２−２）に示す各構成要素をさらに備えれば好適である。
（２−１）放送番組の番組情報を記憶する番組情報記憶手段。
（２−２）前記映像表示部に放送番組の画面が表示されているときに前記注目度検知手段により検知された前記映像鑑賞者の注目度に関する注目度実績情報を，前記映像表示部に表示された放送番組の画面に対応する前記番組情報に対応付けて所定の記憶手段に記録する注目度実績記録手段。
前記注目度実績記録手段により記録された前記注目度実績情報は，選局された放送チャンネルの番組に対するユーザ（映像鑑賞者）の実際の注目（視聴）状況が反映された情報である。そのため，前記注目度実績情報に基づいて，放送番組に関するユーザの嗜好（関心）に応じた各種の自動制御を行えば，ユーザの嗜好が正確に反映された自動制御を実現できる。
例えば，本発明に係るテレビジョン受像機が，前記番組情報記憶手段に記憶された前記番組情報を前記映像表示部に表示させるとともに，その番組情報の表示態様を前記注目度実績情報に基づいて制御する番組情報表示制御手段を具備することが考えられる。また，その番組情報表示制御手段の処理の具体例としては，前記番組情報を前記映像表示部に表示させる際に，前記注目度実績情報に基づいて前記番組情報を強調表示させるか否かを制御することや，前記番組情報を前記映像表示部に表示させる際に，前記注目度実績情報に基づいて前記番組情報の表示順序を制御すること等が挙げられる。
これにより，チャンネル選択（選局）や録画予約等のための選択メニュー画面として，前記番組情報を含む放送番組の一覧表等を前記映像表示部に表示させる際に，過去にユーザの注目度が高かった放送番組に関連する番組情報（タイトル，ジャンル，出演者など）を，強調表示させたり表示順序を優先させたりすることができる。これにより，ユーザは，自身の嗜好に合う放送番組を容易に確認又は選択できる。
【発明の効果】
【０００９】
本発明に係るテレビジョン受像機によれば，映像表示部に表示中の画面に対するユーザ（映像鑑賞者）の注目状況（注目度）を正確に把握することができる。その結果，省電力化やユーザの嗜好に応じた自動制御の実施など多様なニーズに対して正確な対応が可能となる。
例えば，映像表示部に表示中の複数の画面それぞれに対する注目度を個別に検知することにより，ユーザの嗜好をより正確に把握できる。また，各画面に対する注目度に応じて，いずれの画面に対応する音声を出力するかを自動的に切り替えることにより，リモコン等による音声切替操作の手間が省ける。
また，表示画面に対する注目度が所定レベルに満たない場合に，装置の状態を所定の省電力状態に移行させることにより，ユーザが画面に注目していないときの無駄な電力消費を抑制できるとともに，ユーザが映像を鑑賞中であるのに，誤って省電力状態へ移行してしまうという誤動作を回避できる。
また，表示画面に対する注目度に関する前記注目度実績情報を，表示画面に対応する前記番組情報に対応付けて記録することとにより，ユーザの嗜好が正確に反映された自動制御を実現できる。例えば，前記注目度実績情報に基づいて，前記番組情報を前記映像表示部に表示させるときの表示態様を制御すれば，ユーザは，自身の嗜好に合う放送番組を容易に確認又は選択できる。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係るテレビジョン受像機Ｘの概略構成を表すブロック図，図２はテレビジョン受像機Ｘにおける画面注目度制御の手順を表すフローチャート，図３はテレビジョン受像機Ｘにおける表示画面例を模式的に表した図，図４はテレビジョン受像機Ｘの映像表示部に対する映像鑑賞者の顔の向きを矢印で表した図，図５はテレビジョン受像機Ｘが記録する注目度実績情報のデータ構成の一例を表す図，図６はテレビジョン受像機Ｘにおける番組情報表示画面の一例を表す図である。
【００１１】
まず，図１に示すブロック図を参照しつつ，本発明の実施形態に係るテレビジョン受像機Ｘの構成について説明する。
図１に示すように，テレビジョン受像機Ｘは，複数のチューナ１ａ，１ｂと，複数の映像処理回路４ａ，４ｂと，画面合成切替回路５と，顔検出回路６と，計時回路７と，制御回路８と，リモコンインターフェース（Ｉ／Ｆ）回路９と，カメラ１２と，映像表示部２１と，音声切替回路１０と，音声処理回路１１と，アンプ２２と，スピーカ２３とを具備している。
本発明の実施形態に係るテレビジョン受像機Ｘは，前記カメラ１２により得られた画像情報に基づいて映像鑑賞者（視聴者）の顔の向きを検出し，その検出結果に基づいて，前記映像表示部２１に表示された画面に対する前記映像鑑賞者の注目度を検知し，その検知結果に基づく各種の制御（以下，画面注目度制御という）を行う機能を備えている点に特徴を有する。
【００１２】
前記チューナ１ａ，１ｂは，放送信号を入力し，前記制御回路８から指示された放送チャンネルの信号を入力信号から抽出（選局）するとともに，その抽出信号の検波によって映像信号及び音声信号を取り出し，その映像信号及び音声信号の各々を前記映像処理回路４ａ，４ｂ及び前記音声切替回路１０各々へ伝送するものである。
前記映像処理回路４ａ，４ｂ各々は，前記チューナ１ａ，１ｂから出力された映像信号各々に対して各種信号処理を行うものである。例えば，映像信号のＡ／Ｄ変換や，Ａ／Ｄ変換後の映像信号から水平及び垂直同期信号の分離，その同期信号に位相同期したクロック信号の生成，Ａ／Ｄ変換後の映像信号からの輝度信号及び色信号の分離，所定の画質改善処理，前記画質改善処理後の映像を縮小する（時間軸を圧縮する）処理，及びその縮小映像信号を前記クロック信号に基づいて水平走査期間の前半（画面左半分）や後半（画面右半分）に配置する位相調整処理等を行い，処理後の映像信号を前記画面合成切替手段５に出力する。
前記画面合成切替回路５は，前記映像処理回路４ａ，４ｂ各々からの映像信号のいずれかを切り替えて前記映像表示部２１に出力することにより，前記映像表示部２１に１つの映像画面を表示させるか，２つの映像画面を左右に並べて同時表示（画面合成）させるかを切り替えるものである。
このように，テレビジョン受像機Ｘは，映像表示部２１に複数の画面を同時に表示可能なマルチ画面表示機能を備えている。
さらに，前記画面合成切替回路５は，前記制御回路８から入力される挿入情報を，出力する映像信号にスーパーインポーズする機能も備えている。
【００１３】
前記映像表示部２１は，例えば，いわゆるワイド画面を形成する液晶表示パネル及びそれを背面から照明するバックライトを備え，前記画面合成切替回路５から出力される映像信号を映像化して表示するものである。
前記カメラ１２は，前記映像表示部２１の前方を撮像するものであり，当該テレビジョン受像機Ｘの前面側に配置されている。このカメラ１２は，前記映像表示部２１に表示された画面を鑑賞するユーザ（以下，映像鑑賞者という）の顔を撮像するために設けられたものである。
前記顔検出回路６は，前記カメラ１２により得られた画像情報（画像データ）に基づいて，前記映像鑑賞者の顔及びその向きを検出する画像処理を実行する回路である（前記顔検出手段の一例）。ここで，カメラ１２による撮像画像から人の顔の像の位置を検出（特定）し，さらにその顔の向きを検出する画像処理アルゴリズムの例は，前記特許文献２〜４等に示され，各種のアルゴリズムが既に周知であるのでここではその内容の説明を省略する。なお，前記カメラ１２は，前記顔検出回路６における顔の位置及び向きの検出処理のアルゴリズムに応じて，１つ又は複数設けられる。
【００１４】
前記計時回路７は，クロック発振器を備え，現在時刻の計時及び前記制御回路８からの計時開始指令に応じてその時点からの経過時間の計時を行う回路である。計時結果は前記制御回路８に伝送される。
前記制御回路８は，演算手段であるＭＰＵ８ａ，そのＭＰＵ８ａによって実行される制御プログラムが予め格納される記憶手段であるＲＯＭ８ｂ（ＥＰＲＯＭ），前記ＭＰＵ８ａが実行する処理によって読み書きされる各種の情報を記憶するＥＥＰＲＯＭ８ｃ等を備え，当該テレビジョン受像機Ｘ全体を制御するものである。
例えば，前記制御回路８が，前記チューナー１ａを通じて，予め設定された時刻に放送信号に重畳されているＥＰＧ情報（放送番組の番組情報を含む電子番組ガイド情報）を取得し，そのＥＰＧ情報を前記ＥＥＰＲＯＭ８ｃに記憶させる。また，前記制御回路８が，前記リモコン９ｃの操作に応じて，出力する放送番組や録画予約する放送番組を選択する処理を実行する際に，そのＥＰＧ情報を前記ＥＥＰＲＯＭ８ｃから読み出し，所定の選択メニュー画面に含めて前記映像表示部２１に表示させる。
なお，前記ＥＥＰＲＯＭ８ｃが，前記番組情報記憶手段の一例であり，前記ＥＰＧ情報には，各放送番組について，その識別情報，タイトル，放送開始時刻及び放送終了時刻，ジャンル及び出演者等の番組情報が含まれる。
前記リモコンインターフェース回路９は，当該テレビジョン受像機Ｘの操作用のリモコン９ａ（リモート操作器）から，赤外線伝送等の無線伝送によって前記リモコン９ａに対する操作入力情報を取得し，その操作入力情報を前記制御回路８に出力するものである。
例えば，前記制御回路８は，前記リモコン９ａ及び前記リモコンインターフェース回路９を通じて選択チャンネル情報を取得し，その取得情報に基づいて，複数チャンネルの中から前記映像表示部２１に番組映像の画面を表示させる放送チャンネルを選択（選局）する。
【００１５】
前記音声切替回路１０は，前記チューナ１ａ，１ｂ各々からの音声信号を入力し，それらの音声信号のうちの任意の１つの音声信号を，前記制御回路８からの指示に従って前記音声処理回路１１に出力するものである。
前記音声処理回路１１は，前記制御回路８からの指示に従って，前記音声切替回路１０から出力された音声信号に対して各種信号処理を行うものである。例えば，前記スピーカ２３の特性に合わせたイコライズ処理や，サラウンド処理等を行う。
前記アンプ２２は，前記音声処理回路１１による処理後の音声信号を，前記制御回路８からの指示に従って増幅或いは減衰させる処理を行い，前記スピーカ２３に出力するものである。これにより，前記映像表示部２１に表示中の画面に対応する音声が前記スピーカ２３（音声出力手段の一例）から出力される。
【００１６】
以下，図２に示すフローチャートを参照しつつ，前記顔検出回路６の検出結果に基づく前記画面注目度制御の手順の一例について説明する。
なお，以下に示すＳ１，Ｓ２，…は，処理手順（ステップ）の識別記号を表す。また，図２に示す処理は，前記リモコン９ａから所定の電源ＯＮ操作がなされて前記映像表示部２１に所定の放送番組の画面が表示された時点から開始される。また，以下において前記制御回路８が実行する処理は，前記ＭＰＵ８ａが前記ＲＯＭ８ｂに予め記憶された所定のプログラムを実行することによって実現される。
［ステップＳ１］
まず，前記制御回路８は，前記顔検出回路６に所定の指令を出力することにより，前記顔検出回路６に前記映像鑑賞者の顔の位置及び向きを検出させ，その検出結果を取得する（Ｓ１）。その際，前記顔検出回路６は，前記カメラ１２に対して撮像指令を出力し，その撮像画像データを前記カメラ１２から取得する。
本実施形態では，前記顔検出回路６が，前記映像鑑賞者の顔の左右方向及び上下方向の位置，及び前記映像鑑賞者の顔の左右方向及び上下方向の向き（例えば，前記映像表示部２１の表面に垂直な方向を基準とする角度）を検出する。
【００１７】
［ステップＳ２］
次に，前記制御回路８は，前記顔検出回路６により検出された前記映像鑑賞者の顔の位置及び向きに基づいて，前記映像表示部２１に表示されている画面に対する前記映像鑑賞者の注目度（以下，単に注目度という）を検知する（Ｓ２，前記注目度検知手段の一例）。
以下，図３及び図４を参照しつつ，前記制御回路８による前記注目度の検知方法の一例について説明する。なお，図３は，前記映像表示部２１における表示画面例を模式的に表した図，図４は前記映像表示部２１に対する前記映像鑑賞者の顔Ｐ０の向きを矢印Ｒで表した図（テレビジョン受像機Ｘを上から見た状態の図）である。
テレビジョン受像機Ｘにおいて，前記映像表示部２１の画面表示状態は，図３（ａ）に示すように１つの放送番組の画面ｇ０のみが表示されたシングル画面状態と，図３（ｂ）に示すように２つの放送番組の画面ｇ１，ｇ２が左右に並んで表示されたマルチ画面状態とが考えられる。そして，前記映像表示部２１の映像表示領域の寸法，その映像表示領域における各画面ｇ０，ｇ１，ｇ２の表示位置，及び前記映像表示部２１と前記カメラ１２との位置関係が既知であるので，前記カメラ１２に対する各画面ｇ０，ｇ１，ｇ２の位置は既知である。
また，前記カメラ１２の画角（左右方向及び上下方向それぞれの画角）も既知である。
従って，図４に示すように，映像鑑賞者の顔Ｐ０の左右方向（画像データにおけるＸ軸方向）の位置Ｘp及び映像表示部２１からの距離Ｌpと，映像鑑賞者の顔Ｐ０の左右方向の向きθpとに基づく三角関数計算により，映像鑑賞者が，左右方向において映像表示部２１に表示中のいずれの画面ｇ０，ｇ１，ｇ２の範囲内を注目しているのか，或いは映像表示部２１を注目していないのかを検知できる。図４に示す例は，映像鑑賞者が，前記マルチ画面状態である前記映像表示部２１において向かって左側に表示中の画面ｇ１を注目している状態を表している。
同様に，映像鑑賞者の顔Ｐ０の上下方向（画像データにおけるＹ軸方向）の位置及び映像表示部２１からの距離Ｌpと，映像鑑賞者の顔Ｐ０の上下方向の向きとに基づく三角関数計算により，映像鑑賞者が，上下方向において映像表示部２１に表示中のいずれかの画面ｇ０，ｇ１，ｇ２の範囲内を注目しているのか，或いは映像表示部２１を注目していないのかを検知できる。
また，前述したように，ステップＳ１において，前記顔検出回路６が，映像鑑賞者の顔Ｐ０の左右方向及び上下方向の位置，及び映像鑑賞者の顔Ｐ０の左右方向及び上下方向の向きを検出する。
そして，前記制御回路８は，例えば，前記顔検出回路６の検出結果と予め設定された距離Ｌpとに基づく三角関数計算を実行することにより，前記映像表示部２１に表示された画面に対する前記映像鑑賞者の注目度を検知する（Ｓ２）。図２に示す例では，前記制御回路８は，画面ｇ１に対する注目度を「１」，画面ｇ２に対する注目度を「０」として検知する。なお，前記制御回路８は，前記映像鑑賞者が前記映像表示部２１に表示中のいずれの画面にも注目していない（注目度が全て「０」）状態を検知した場合，非注目状態であると判別する。
このように，前記制御回路８（前記注目度検知手段の一例）は，前記マルチ画面状態（前記映像表示部２１に複数の画面ｇ１，ｇ２が並んで表示されている状態）である場合，その複数の画面ｇ１，ｇ２それぞれに対する前記映像鑑賞者の注目度を個別に検知する。
なお，前記距離Ｌpは，例えば，前記映像表示部２１のサイズに応じて予め標準的な値が設定される。或いは，前記顔検出回路６が，前記映像鑑賞者の顔の大きさ（面積，直径等）を検出し，その大きさを予め定められた換算式で距離に換算することにより，前記距離Ｌpを自動的に算出すること等も考えられる。
また，前記注目度を，前記マルチ画面状態における画面の配列方向（例えば，左右方向）のみにおける前記映像鑑賞者の顔Ｐ０の位置及び向きに基づいて求めることも考えられる。
【００１８】
［ステップＳ３〜Ｓ５］
次に，前記制御回路８は，ステップＳ２において前記非注目状態であると判別した場合に，その状態の継続時間を前記計時回路７による計時時間に基づいて算出する（Ｓ３）。なお，前記制御回路８は，ステップＳ２において前記非注目状態ではないと判別した場合，前記非注目状態の継続時間を０（ゼロ）にリセットする。
さらに，前記制御回路８は，ステップＳ３で計算した前記非注目状態の継続時間が予め定められた時間ｔ１以上であるか否かを判別する（Ｓ４）。
ここで，前記制御回路８は，前記非注目状態の継続時間が時間ｔ１以上である場合には，処理を後述するステップＳ９へ移行させ，そうでない場合は処理を次のステップＳ５へ移行させる。
ステップＳ５において，前記制御回路８は，前記ＥＥＰＲＯＭ８ｃに予め記憶されたＥＰＧ情報の中から，ステップＳ１で前記カメラ１２による撮像を行った時点において前記映像表示部２１に表示中の画面に対応する放送番組の番組情報を特定（検索）する（Ｓ５）。具体的には，前記制御回路８は，前記計時回路７により計時される現在時刻，及び前記チューナ１ａ，１ｂにより選局されている放送チャンネルと，前記ＥＰＧ情報に含まれる放送番組の放送時刻情報及び放送チャンネル情報との比較により，前記映像表示部２１に表示中の画面に対応する放送番組の番組情報を特定する。
【００１９】
［ステップＳ６］
さらに，前記制御回路８は，ステップＳ２において検知した前記映像鑑賞者の注目度に関する注目度実績情報を，ステップ５で特定した前記番組情報に対応付けて前記ＥＥＰＲＯＭ８ｃに記録する（Ｓ６，前記注目度実績記録手段の一例）。
図５は，ステップＳ６において前記制御回路８が記録する注目度実績情報Ｄ０のデータ構成の一例を表す図である。
図５に示す注目度実績情報Ｄ０は，番組情報ｄ１と，その番組情報の種別ｄ２と，前記注目度に関する実績情報ｄ３，ｄ４とが関連付けられた情報である。
前記番組情報ｄ１は，例えば，前記映像表示部２１に表示される放送番組の番組タイトルｄ１１やジャンルｄ１２（スポーツ，アニメ，ドラマ，バラエティ等）などであり，その種別（種類）が前記番組情報の種別ｄ２として記録されている。
また，図５に示す注目度実績情報Ｄ０には，前記注目度に関する実績情報の一例として，本日（今日）を含む最新の１週間（７日）分の１日ごとの注目度の実績情報である日別注目度実績値ｄ４と，その１週間分の日別注目度実績値ｄ４を集約した実績値である総括注目度実績値ｄ３とが含まれる。なお，前記総括注目度実績値ｄ３は，例えば日付が変化するごとに更新される。また，本日の前記日別注目度実績値ｄ４の初期値（日付の変化時における値）は０（ゼロ）である。
【００２０】
以下，前記制御回路８による前記日別注目度実績値ｄ４及び前記総括注目度実績値ｄ３の記録方法の一例について説明する。
まず，前記制御回路８は，一定周期で前記注目度の検知（Ｓ２）を行い，その注目度を，その注目度に対応する放送番組（画面）の前記番組情報ｄ１ごとに累積（加算）する。なお，前記注目度に対応する放送番組の前記番組情報ｄ１は，ステップＳ５で特定された番組情報である。
例えば，前記制御回路８は，ステップＳ２において，番組のタイトルが「ドラマｊｊ」あるドラマの画面に対する前記注目度が「１」であると検知した場合，そのドラマのタイトルである「ドラマｊｊ」（番組情報の一例）に対応する注目度の累積値と，そのドラマのジャンルである「ドラマ」（番組情報の一例）に対応する注目度の累積値とのそれぞれに「１」を加算する。これら注目度の累積値は，前記映像鑑賞者がその放送番組に注目した時間（実際の視聴時間）を表す指標である。
【００２１】
そして，前記制御回路８は，その放送番組（「ドラマｊｊ」）の放送が終了した時点で，タイトル「ドラマｊｊ」に対応する注目度の累積値を，その放送番組「ドラマｊｊ」の放送時間に相当する値で除算して得られる値，即ち，その放送番組についての注目時間の比率を表す値を，その時点で記憶されているタイトル「ドラマｊｊ」に対応する本日の前記日別注目度ｄ４に加算して記録（更新）する。
同時に，前記制御回路８は，ジャンル「ドラマ」に対応する注目度の累積値を，当該テレビジョン受像機Ｘの１日当たりの稼働時間（電源ＯＮの時間）に相当する値で除算して得られる値を，その時点で記憶されているタイトル「ドラマ」に対応する本日の前記日別注目度実績値ｄ４に加算して記録（更新）する。ここで，当該テレビジョン受像機Ｘの１日当たりの稼働時間は，例えば，前記制御回路８が過去１週間分の稼動実績に基づいて自動的に算出すること等が考えられる。
また，前記注目時間の比率を表す値が所定の下限値未満である場合には，本日の前記日別注目度ｄ４を更新しないようにすることも考えられる。
なお，放送番組の終了のタイミングは，現在時刻，放送チャンネル及び前記ＥＰＧ情報に基づいて検知できる。
一方，前記制御回路８は，日付が変化するごとに，種別が「タイトル」である番組情報ｄ１１それぞれについて，最新の１週間分の前記日別注目度ｄ４の最大値を前記総括注目度実績値ｄ３として記録する。同時に，前記制御回路８は，種別が「ジャンル」である番組情報ｄ１２それぞれについて，最新の１週間分の前記日別注目度ｄ４の平均値を前記総括注目度実績値ｄ３として記録する。
【００２２】
［ステップＳ７］
次に，前記制御回路８は，前記マルチ画面状態である場合， 予め定められた最近の所定時間分の各画面に対する前記注目度を比較し，その最近の注目度が最大である画面と，その時点で出力されている音声に対応する画面（以下，音声出力画面という）とが一致しているか否かを判別する（Ｓ７）。例えば，前記制御回路８は，各画面に対する前記注目度の所定時間分の移動平均値が最大であるものを，最近の注目度が最大である画面であると判別する。
さらに，前記制御回路８は，最近の注目度が最大である画面と前記音声出力画面とが一致していない場合には，前記音声切替回路１０を制御することにより，最近の注目度が最大である画面に対応する音声を前記スピーカ２３を通じて出力させるよう出力音声の切替処理を行い（Ｓ８），その後，前述したステップＳ１へ処理を戻す。
このように，前記制御回路８は，ステップＳ２で検知した前記注目度に基づいて，前記マルチ画面状態における複数の画面のいずれに対応する音声を前記スピーカ２３を通じて出力させるかを切り替える（Ｓ７，Ｓ８：前記音声出力切替手段の一例）。
なお，前記制御回路８は，最近の注目度が最大である画面と前記音声出力画面とが一致している場合には，ステップＳ８の処理をスキップしてステップＳ１へ処理を戻す。以上により，前記制御回路８は，前記非注目状態の継続時間が所定時間ｔ１未満である限り，一定周期でステップＳ１〜Ｓ８の処理を繰り返す。
【００２３】
［ステップＳ９］
一方，前記制御回路８は，ステップＳ４において前記非注目状態の継続時間が予め定められた時間ｔ１以上である，即ち，最近の各画面に対する前記注目度が所定レベルに満たない状態（０値が継続する状態）であると判別した場合，当該テレビジョン受像機Ｘを，中間的な省電力状態である第１省電力状態に移行させる（Ｓ９，前記省電力状態移行制御手段の一例）。
このステップＳ９において，前記制御回路８は，不図示の通電制御回路を制御することにより，前記映像表示部２１を構成するバックライト及び液晶表示パネルに対する通電を停止させる。これにより，前記第１省電力状態は，その第１省電力状態への移行前に前記映像表示部２１に表示していた画面に対応する音声を前記スピーカ２３を通じて出力しつつ，前記映像表示部２１による画面表示を停止した状態（以下，画面非表示・音声出力状態という）となる。
【００２４】
［ステップＳ１０〜Ｓ１３，１６］
次に，前記制御回路８は，前記画面非表示・音声出力状態において，ステップＳ１と同様に，前記顔検出回路６に前記映像鑑賞者の顔の位置及び向きを検出させ，その検出結果を取得する（Ｓ１０）。さらに，前記制御回路８は，前記顔検出回路６の検出結果に基づいて，前記映像鑑賞者の顔が前記映像表示部２１を向いているか否か，即ち，前記非注目状態であるか否かを判別する（Ｓ１１）。
さらに，前記制御回路８は，ステップＳ１１において前記非注目状態であると判別した場合に，ステップＳ３と同様にその状態の継続時間を引き続き算出し（Ｓ１２），その継続時間が予め定められた時間ｔ２（＞ｔ１）以上であるか否かを判別する（Ｓ１３）。以降，前記制御回路８は，前記非注目状態の継続時間が時間ｔ２以上となるか，或いは，前記非注目状態が解除される（前記映像鑑賞者の顔が前記映像表示部２１を向く状態となる）まで，一定周期でステップＳ１０〜Ｓ１３の処理を繰り返す。
そして，前記制御回路８は，ステップＳ１１において，前記映像鑑賞者の顔が前記映像表示部２１を向く状態（映像表示部に注目する状態）となったことを検知した場合，当該テレビジョン受像機Ｘを前記画面非表示・音声出力状態からその状態へ移行する前の元の状態に復帰させ（Ｓ１６，前記状態復帰手段制御手段の一例），その後，前述したステップＳ１へ処理を戻す。
【００２５】
［ステップＳ１４，Ｓ１５］
一方，前記制御回路８は，ステップＳ１３において，前記非注目状態の継続時間が時間ｔ２以上であると判別した場合，前記ＥＰＧ情報に基づいて，その時点で出力中の音声に対応する放送番組のジャンルが「音楽」であるか否か（音楽番組であるか否か）を判別する（Ｓ１４）。
そして，前記制御回路８は，出力中の音声に対応する放送番組のジャンルが「音楽」であると判別した場合，処理をステップＳ１０へ戻してステップＳ１０〜Ｓ１３の処理を再度繰り返す。
一方，前記制御回路８は，ステップＳ１４において，出力中の音声に対応する放送番組のジャンルが「音楽」ではないと判別した場合，不図示の通電制御回路を制御することにより，当該テレビジョン受像機Ｘの状態を，中間的な前記第１省電力状態から，それよりさらに電力消費の少ない状態である第２省電力状態へ移行させる（Ｓ１５）。これにより，当該画面注目度制御の処理が終了する。
前記第２省電力状態は，例えば，電源ＯＦＦ操作がなされたときに移行する状態と同じ状態であり，前記制御回路８に対する通電や音声出力も停止され，前記リモコン９ａによる電源ＯＮ操作を受け付けるために必要なごく一部の部品（前記リモコンインターフェース回路９を含む）のみが通電された状態である。
【００２６】
以上に示したように，前記テレビジョン受像機Ｘは，前カメラ１２の撮像画像に基づき検出される映像鑑賞者の顔及びその向きに基づいて，映像鑑賞者が，映像表示部２１に表示中の画面にどの程度注目しているのかを直接的に検知する（Ｓ２）。これにより，テレビジョン受像機Ｘは，映像表示部２１に表示中の画面に対する映像鑑賞者（ユーザ）の注目状況（注目度）を正確に把握することができる。しかも，テレビジョン受像機Ｘは，前記マルチ画面状態において，複数の画面それぞれに対する映像鑑賞者の注目度を個別に検知するので，ユーザが複数の画面それぞれをどの程度ずつ注目したかを正確に把握することができる。その結果，省電力化やユーザの嗜好に応じた自動制御の実施など多様なニーズに対して正確な対応が可能となる。
【００２７】
具体的には，テレビジョン受像機Ｘは，前記マルチ画面状態において，ユーザが前記リモコン９ａによる音声切替操作を行わなくても，ユーザの注目度が最も高い画面に対応する音声が出力されるように自動的に音声切り替えを行う（Ｓ７，Ｓ８）。これにより，リモコン等による音声切替操作の手間が省ける。
また，テレビジョン受像機Ｘは，前記注目度が所定レベルに満たない場合に前記第１省電力状態（前記画面非表示・音声出力状態）又は前記第２省電力状態に移行させる（Ｓ９，Ｓ１５）ので，ユーザが画面に注目していないときの無駄な電力消費を抑制できる。しかも，ユーザが映像を鑑賞中であるのに，誤って省電力状態へ移行してしまうという誤動作を回避できる。
また，テレビジョン受像機Ｘは，前記顔検出回路６の検出結果に基づいて，前記画面非表示・音声出力状態への移行（Ｓ９）と，ユーザの顔の向きに応じた元の状態への復帰（Ｓ１６）とを行うので，ユーザが，テレビジョン受像機Ｘの近くにおいて一時的に席を外す，或いは画面から一時的に視線を外す（例えば，作業のために下を向く）ような場合に，ユーザが出力音声を聴き続けることができる状態のまま，画面表示のみが一時的に停止されて省電力化が図られる。
【００２８】
また，前記テレビジョン受像機Ｘが記録（Ｓ６）する前記注目度実績情報Ｄ０は，選局された放送チャンネルの番組に対するユーザの実際の注目（視聴）状況が反映された情報である。そのため，前記注目度実績情報Ｄ０に基づいて，放送番組に関するユーザの嗜好（関心）に応じた各種の自動制御を行えば，ユーザの嗜好が正確に反映された自動制御を実現できる。
例えば，前記制御回路８は，前記画面合成切替回路５を制御することにより，前記ＥＥＰＲＯＭ８ｃに記憶された番組情報（ＥＰＧ情報）を前記映像表示部２１に表示させる機能を備えている。その際，前記制御回路８が，その番組情報の表示の際に，その番組情報の表示態様を前記注目度実績情報Ｄ０に基づいて制御することが考えられる（前記番組情報表示制御手段の一例）。
【００２９】
図６は，前記制御回路８が前記映像表示部２１に表示させる番組情報表示画面の一例である。
前記制御回路８は，前記リモコン９ａに対する所定の選局メニュー表示操作がなされたことを検知すると，前記映像表示部２１にチャンネル選局のための選択メニュー画面ｖ１を表示させる。
前記選択メニュー画面ｖ１は，その時点で放送中の放送番組それぞれの番組情報を一覧表示する画面であり，その番組情報は前記ＥＰＧ情報に含まれる情報である。
そして，前記制御回路８は，前記選択メニュー画面ｖ１（前記番組情報を含む）を前記映像表示部２１に表示させる際に，前記注目度実績情報Ｄ０に基づいて前記番組情報を強調表示させるか否か，及び前記番組情報の表示順序を制御する。
図６に示す選択メニュー画面ｖ１は，放送番組ごとの番組情報ｄ１１，ｄ１２を一覧表示させるとともに，それを各放送番組の番組情報に対応する前記総括注目度実績値ｄ３の最大値が大きい順に表示させ，さらに，前記総括注目度実績値ｄ３が所定レベル以上である前記番組情報を強調表示（色替え，太字化，下線引きなど）させた画面である。
このような選択メニュー画面ｖ１を表示させることにより，ユーザは，自身の嗜好に合う放送番組を容易に確認又は選択できる。
また，前記注目度に基づいて，放送番組の視聴率を算出すれば，ユーザが実際に視聴（鑑賞）している放送番組をより正確に把握することができる。
【産業上の利用可能性】
【００３０】
本発明は，テレビジョン受像機に利用可能である。
【図面の簡単な説明】
【００３１】
【図１】本発明の実施形態に係るテレビジョン受像機Ｘの概略構成を表すブロック図。
【図２】テレビジョン受像機Ｘにおける画面注目度制御の手順を表すフローチャート
【図３】テレビジョン受像機Ｘにおける表示画面例を模式的に表した図。
【図４】テレビジョン受像機Ｘの映像表示部に対する映像鑑賞者の顔の向きを矢印で表した図。
【図５】テレビジョン受像機Ｘが記録する注目度実績情報のデータ構成の一例を表す図。
【図６】テレビジョン受像機Ｘにおける番組情報表示画面の一例を表す図。
【符号の説明】
【００３２】
Ｘ        ：テレビジョン受像機
１ａ，１ｂ：チューナ
４ａ，４ｂ：映像処理回路
５        ：画面合成切替回路
６        ：顔検出回路
７        ：計時回路
８        ：制御回路
９        ：リモコンインターフェース回路
９ａ      ：リモコン
１０      ：音声切替回路
１１      ：音声処理回路
１２      ：カメラ
２１      ：映像表示部
Ｓ１，Ｓ２，…：ステップ（処理手順）
【図１】
2008263524.tif 000003
【図２】
2008263524.tif 000004
【図３】
2008263524.tif 000005
【図４】
2008263524.tif 000006
【図５】
2008263524.tif 000007
【図６】
2008263524.tif 000008